(57)【要約】【課題】トイレブース１において、仕切りパネル２を天井部Ｈまで長くすると共に、ドア上枠７と天井部Ｈまでに間の間隙をパネル体８で塞ぐにあたり、外観を損なうことなく取り付けるようにする。【解決手段】仕切りパネル左右先端部２ａに、出入り口側に凹溝３ｇが形成されたエッジ材３を天井部Ｈにまで至るようにして取り付けると共に、ドア上枠７の左右両端部を凹溝３ｇに嵌入取付けすると共に、ドア上枠７をあいだに挟んで凹溝３ｇの下側部位には、ドア体５に対向する塞ぎ体３ｄを嵌入組み付けし、上側部位には、パネル体取り付け用凹溝１０ｃが形成された補助エッジ材を嵌入取り付けするようにして、エッジ材３が天井部Ｈまで連続するようにする。【選択図】図３
2015034419.tif 000002
【特許請求の範囲】
【請求項１】
隣接する仕切りパネルで仕切られ、仕切りパネルの左右先端部間に形成される出入り口をドア体で開閉するように構成されたトイレブースにおいて、前記仕切りパネルを天井部に至るまで長いものとし、ドア体の上方に配設のドア上枠と天井部とのあいだの隙間を閉鎖するためのパネル体を取り付けるにあたり、前記仕切りパネルの左右先端部に、出入り口側面が開口した凹溝を有するエッジ材を天井部にまで至るようにして取り付け、前記ドア上枠のパネル厚方向の幅をエッジ材凹溝の溝幅に対応させたものとして該エッジ材凹溝にドア上枠の左右両端部を嵌入組み込みすると共に、該ドア上枠をあいだに挟んでエッジ材の下側部位には、エッジ材凹溝を塞いでドア体の左右両端縁と対向する塞ぎ体を嵌入取り付けし、エッジ材の上側部位には、パネル体取り付け部が形成された補助エッジ材をエッジ材凹溝を塞ぐようにして嵌入取り付けしたことを特徴とするトイレブースのパネル体取り付け構造。
【請求項２】
補助エッジ材の出入り口側端縁部が、エッジ材のドア体側端と面一か該ドア体側端よりも仕切りパネル側になるよう内嵌していることを特徴とする請求項１記載のトイレブースのパネル体取り付け構造。
【発明の詳細な説明】
【技術分野】
【０００１】
本発明は、駅や学校等の建物に建て付けられるトイレブースのパネル体取り付け構造の技術分野に関するものである。
【背景技術】
【０００２】
一般に、このようなトイレブースは、複数のトイレが一連状に連結したものとして建て付けられる場合が多いが、このようなトイレブースは、壁から突出した一対のＴ字形またはＬ字形をした仕切りパネルで仕切られた空間に便具を配置するとともに、両仕切りパネルの先端間に形成される出入り口にドアを開閉自在に設けて構成されるが、このようなトイレブース用のドアは、ドア上端縁と天井面とのあいだに隙間を設け、これにより閉塞感がないように設けられたものがある。ところが近時、この隙間からの覗きや盗撮をするというような不心得者の発生が問題視されてきており、そこでこの隙間にパネル体を取り付けて塞ぐようにしたものが試みられている（特許文献１、２参照）。
【先行技術文献】
【特許文献】
【０００３】
【特許文献１】実開平１−１２９３６４号公報
【特許文献２】特開平８−１５８７４８号公報
【発明の概要】
【発明が解決しようとする課題】
【０００４】
しかしながら前記特許文献１のものは、天井まで延びた仕切りパネルと天井およびドア上端縁とのあいだにパネル体を取り付ける旨の記載はあるが、具体的にどのようにして取り付けるかについての具体的説明はない。
これに対し特許文献２のものは、隣接するトイレブース同士の仕切りパネルを天井にまで至る上下方向に長いものとし、そして仕切りパネルに組み込まれる戸先側及び戸尻側のドア体側エッジ材の上端部から天井に至るようパネル体側エッジ材を組み付け、このパネル体側エッジ材にパネル体を組込むようにすることが提唱されるが、このようにすると、ドア体の上方に配されるドア上枠でドア体側エッジ材とパネル体側エッジ材とを分断するようになってエッジ材の連続性が損なわれて不自然さが残り、外観を損なうだけでなく、後付けも難しくなるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、隣接する仕切りパネルで仕切られ、仕切りパネルの左右先端部間に形成される出入り口をドア体で開閉するように構成されたトイレブースにおいて、前記仕切りパネルを天井部に至るまで長いものとし、ドア体の上方に配設のドア上枠と天井部とのあいだの隙間を閉鎖するためのパネル体を取り付けるにあたり、前記仕切りパネルの左右先端部に、出入り口側が開口した凹溝を有するエッジ材を天井部にまで至るようにして取り付け、前記ドア上枠のパネル厚方向の幅をエッジ材凹溝の溝幅に対応させて該エッジ材凹溝にドア上枠の左右両端部を嵌入組み込みすると共に、該ドア上枠をあいだに挟んでエッジ材の下側部位には、エッジ材凹溝を塞いでドア体の左右両端縁と対向する塞ぎ体を嵌入取り付けし、エッジ材の上側部位には、パネル体取り付け部が形成された補助エッジ材をエッジ材凹溝を塞ぐようにして嵌入取り付けしたことを特徴とするトイレブースのパネル体取り付け構造である。
請求項２の発明は、補助エッジ材の出入り口側端縁部が、エッジ材のドア体側端と面一か該ドア体側端よりも仕切りパネル側になるよう内嵌していることを特徴とする請求項１記載のトイレブースのパネル体取り付け構造である。
【発明の効果】
【０００６】
請求項１の発明とすることにより、仕切りパネル端部に設けられるエッジ材が天井部にまで至る構造になり、そしてドア上枠の左右両端部がエッジ材に飲み込まれる構造となるためエッジ材に連続性がでることになって外観が損なわれることがなく、しかも後付けも可能となる。
請求項２の発明とすることにより、パネル体を取り付けるための補助エッジ材がエッジ材から突出することがないことになって一段と外観が優れたものとなる。
【図面の簡単な説明】
【０００７】
【図１】トイレブースの正面図である。
【図２】出入り口部位の横断面図である。
【図３】パネル体部位の横断面図である。
【図４】ドア上枠部位の正面図である。
【図５】ドア上枠部位の縦断面図である。
【図６】（Ａ）（Ｂ）はエッジ材のドア体側部位の分解平面図、パネル体側部位の分解平面図である。
【図７】ドア上枠の分解側面図である。
【図８】第二の実施の形態のパネル体側部位の横断面図である。
【図９】第二の実施の形態のパネル体側部位の縦断面図である。
【図１０】第二実施の形態のパネル体部位の分解横断面図である。
【発明を実施するための形態】
【０００８】
以下、本発明の実施の形態について、図面に基づいて説明する。図面において１はトイレブースであって、該トイレブース１の隣接するもの同士は、躯体壁面から突出した平面視Ｔ字形の仕切りパネル２によって仕切り形成されているが、仕切りパネル２は天井部にまで至る上下方向に長いものになっており、そして隣接する仕切りパネル２の先端縁２ａ間にはトイレブース１の出入り口１ａが形成されるが、仕切りパネル２の先端縁２ａにはエッジ材３が床部から天井部に至るようにして組み込まれ、ビス４を介して仕切りパネル先端縁２ａに固定されている。
【０００９】
エッジ材３は、仕切りパネル体先端縁２ａに形成される凹溝２ｃに嵌入する凹溝状をした本体部３ａと、該本体部３ａの一端縁からパネル厚方向に外側に向けて折曲形成される平板状の一端片３ｂと、本体部３ａの他端縁から一端片３ｂとは逆側外方に向けて折曲形成される角筒状の他端片３ｃとによって形成されており、そしてエッジ材３は、仕切りパネル凹溝２ｃに嵌入した本体部３ａの底面部から螺入したビス４により仕切りパネル２に固定した場合に、一端片３ｂ、他端片３ｃのブース内外方向先端部は仕切りパネル２の表裏面板２ｂと面一状になるように設定される。さらにエッジ材３は、ビス４を介して固定された本体部３ａの凹溝３ｇに冂字形をした塞ぎ材３ｄを係止爪３ｅにより抜け止め状に嵌入組み込みすることで該本体部凹溝３ｇの開口を塞ぐことができるようになっている。そしてエッジ材３の出入り口内面は、吊元側ではブース外側半部が平面状でブース内側半部が凹円弧状となり、戸先側ではブース外側半部が凹円弧状でブース内側半部が平板状となるよう点対称の状態で組み付けられている。
【００１０】
前記ドア体５は、表裏面板５ａとコア材５ｂを用いて構成されているが、ドア体５の吊元側および戸先側の両端部には縦框材６が組み付けられている。該縦框材６は、凵字形をした本体部６ａの底面部からビス４ａを螺入することにより、ドア体５の吊元側および戸先側の両端部に取り付けられ、このものに塞ぎ体６ｂを係止爪６ｃにより抜け止め状に嵌入組み込みすることで本体部６ａの開口を塞ぐことができるようになっている。そして吊元側の縦框材６は、ブース内側半部が凸円弧状でブース内側半部が平板状となり、戸先側の縦框材６は、ブース外側半部が凸円弧状でブース内側半部が平板状となる点対称の状態で組み付けられていてそれぞれ対応するエッジ材３に対向している。
尚、ドア体５は、仕切りパネル体先端部２ａに固定の支持金具５ｃに支持されるドア軸５ｄにより開閉揺動自在に中心吊りされているが、ドア体としては蝶番吊り式のもの等、通常知られたものを採用することができる。また図中、５ｅは施錠用のラッチ、５ｆはラッチ受けである。
【００１１】
７はドア上枠（笠木）であって、該ドア上枠７は、本実施の形態では天面が開口した凵字形の型材で構成される本体部７ａと、逆に底面が開口した冂字形をし、本体部７ａに対して上下方向移動自在に嵌入して本体部７ａの天面を塞ぐ補助部７ｂとで構成されるが、ドア上枠７は、本体部７ａのパネル厚方向の幅が前記エッジ材本体部３ａの凹溝３ｇの溝幅と対応しており、これによりドア上枠７の両端縁部７ｃがエッジ材本体部凹溝３ｇに嵌入する構成になっており、そしてエッジ材塞ぎ体３ｄは、上端部３ｆがドア上枠本体部７ａの底面板７ｄに当接するまでの寸法設定となっている。因みに、ドア上枠７は、Ｌ字形をした取り付け金具１５を介してエッジ材３側に固定されている。
【００１２】
８はドア上枠７と天井部Ｈとのあいだの空隙に組み込まれるパネル体であって、該パネル体８はガラス板、樹脂板、格子板等、各種の板材を採用することができるが、パネル板８は、前記左右のエッジ材３、ドア上枠７、そして天井側枠材９によって四周が組み付けられるが、以降、この組付け構成について詳述する。
【００１３】
天井側枠材９は、ドア上枠７とは天地逆の構造、つまり下面が開口した冂字形の型材で構成される本体部９ａと、逆に上面が開口した凵字形をし、本体部９ａに対して上下方向移動自在に嵌入して本体部９ａの下面を塞ぐ補助部９ｂとで構成されるが、天井側枠材９もドア上枠７と同様、本体部９ａのパネル厚方向の幅が前記エッジ材本体部３ａの凹溝３ｇの溝幅と対応していて天井側枠材９の両端縁部９ｃがエッジ材本体部凹溝３ｇに嵌入する構成になっている。天井側枠材９についてもＬ字形をした取り付け金具１５を介してエッジ材３側に固定されている。
【００１４】
エッジ材本体部凹溝３ｇのドア上枠７よりも上方部位には、補助エッジ材１０が嵌入組み込みされているが、該補助エッジ材１０は、冂字形に形成され、エッジ材本体部凹溝３ｇに嵌入する寸法設定になっており、該エッジ材本体部凹溝３ｇに嵌入した補助エッジ材１０は、両端部に形成の係止爪１０ａがエッジ材本体部３ａに係止することで抜け止め支持されるが、補助エッジ材１０の跨部１０ｂには、凹溝１０ｃが形成され、該凹溝１０ｃと同じ形状の凹溝７ｆ、９ｄがドア上枠補助部７ｂの天面板７ｅ、天井側枠材補助部９ｂの下面板９ｅにそれぞれ形成されており、以下、補助エッジ材凹溝１０ｃにパネル体８を組み付ける手順について詳述し、残りの凹溝７ｆ、９ｄへのパネル体８の組み付け手順については省略する
【００１５】
補助エッジ材凹溝１０ｃは、溝開口部が幅狭となって蟻溝状になるよう一対の係止片１０ｄが突出している。そしてパネル体８は、第一、第二の取り付け金具１１、１２を用いて補助エッジ材凹溝１０ｃに取り付けられることになるが、第一取り付け金具１１は、前記係止片１０ｄにそれぞれ抜け止め状に嵌入係止する第一、第二の係止脚片１１ａ、１１ｂと、パネル体８の一側面（例えば室内面）に対向する面対向部１１ｃと、該対向面部１１ｃ側からパネル体８を越えてパネル体８の他面側にまで至る第三の係止脚片１１ｄとを備えて構成されている。
そして第一取り付け金具１１は、第一、第二脚片１１ａ、１１ｂを補助エッジ材凹溝１０ｃの開口に無理嵌め状に嵌入して係止片１０ｄに抜け止め状に係止することで補助エッジ材１０に組み込み固定されるようになっている。
【００１６】
一方、第二取り付け金具１２は、第一取り付け金具第三係止脚片１１ｄに抜け止め状に係止する係止脚片１２ａと、パネル体８の他側面に対向する面対向部１２ｂとを備えて構成されている。
そして、前述したように第一取り付け金具１１を補助エッジ材１０に組み込んだ後、パネル体８の一側面を第一取り付け金具面対向部１１ｃに対向するよう組み付けた状態で第二取り付け金具１２をパネル体８の他側面側から係止脚片１２ｃを第一取り付け金具第三係止脚片１１ｄに抜け止め状に組み込むことでパネル体８の左右両縁の組込みができるようになっている。
尚、１３、１４は面対向部１１ｃ、１２ｂとパネル体８とのあいだに介装されるパッキン（シール材）である。
【００１７】
叙述の如く構成された本発明の実施の形態において、仕切りパネル２は天井部Ｈにまで至る長いものとし、その先端縁２ａに同じく天井部Ｈにまで至る長いエッジ材３を取り付けたものとしているが、このエッジ材３の出入り口１ａ側面に形成される凹溝３ｇには、ドア上枠７の左右両端縁部７ｃが嵌入取り付けされ、そして該ドア上枠７をあいだに挟んでエッジ材凹溝３ｇの下側部位には、エッジ材凹溝３ｇを塞いでドア体５の左右両端縁と対向する塞ぎ体３ｄを嵌入取り付けし、エッジ材凹溝３ｇの上側部位には、パネル体８取り付け用凹溝１０ｃが形成された補助エッジ材１０をエッジ材凹溝３ｇを塞ぐようにして嵌入組み込みしているため、ドア上枠７と天井部Ｈとのあいだの間隙をパネル体８で塞ぐものでありながら、エッジ材３は、ドア上枠７部位で途切れてしまうことなくドア体５対向部から天井部Ｈに至るまで連続したものとなって直線性が備えられ、この結果、外観を損なうことがないうえ、後付けすることも問題なくできる。
【００１８】
しかもこのものでは、パネル体８を取り付けるための補助エッジ材１０がエッジ材３から突出することがないため、正面視したとき補助エッジ材１０が目視されることがなく、外観性が向上する。
【００１９】
尚、本発明は前記実施の形態に限定されるものでないことは勿論であって、パネル体としては、前述したガラス板等の薄板状の板材を採用することに限定されず、図８に示す第二の実施の形態のように、肉厚のパネル体１６を組み込むことができる。つまりこのものでは、ドア上枠７よりも上側のエッジ材３の凹溝３ｇに、パネル体１６を嵌入する凹溝状の補助エッジ材１７を嵌入組み込みするようにしてもよい。この場合に、補助エッジ材１７はビス４ｂを介して仕切りパネル２側に固定され、該固定された補助エッジ材１７にパネル体１６が嵌合組み込みされており、該嵌合組み込みされたパネル体１６は、ビス４ｃを介してドア上枠７ａ、天井側枠材本体部９ａに固定されている。因みにこのものでは、ドア上枠、天井側枠材は何れも本体部７ａ、９ａのみとし、ここにパネル体１６を直接組み込むようにしており、このように構成してもよい。
【産業上の利用可能性】
【００２０】
本発明は、駅や学校等の建物に建て付けられるトイレブースに利用することができる。
【符号の説明】
【００２１】
１    トイレブース
１ａ  出入り口
２    仕切りパネル
３    エッジ材
５    ドア体
７    ドア上枠
８    パネル体
１０  補助エッジ材
１６  パネル体
【図１】
2015034419.tif 000003
【図２】
2015034419.tif 000004
【図３】
2015034419.tif 000005
【図４】
2015034419.tif 000006
【図５】
2015034419.tif 000007
【図６】
2015034419.tif 000008
【図７】
2015034419.tif 000009
【図８】
2015034419.tif 000010
【図９】
2015034419.tif 000011
【図１０】
2015034419.tif 000012